(57)【要約】      （修正有）【課題】ペット用トイレ装置の糞の分離除去により作動の自動化を行い易くするトイレ装置を提供する。【解決手段】本体部１にペットの糞尿を受取るシート６に排泄を行わせる上面側の排泄部Ｃと、未使用のシート６をストックするストック部Ａと、使用済のシート６をストックする廃棄部Ｂとを備え、ストック部Ａから排泄部Ｃにシート６を繰り出し供給し、排泄部Ｃから廃棄部Ｂへシート６を送り出す送り装置を設けたペット用トイレ装置において、排泄部Ｃと廃棄部Ｂとの間に、シート６上に排泄された糞を移動するシート６から受取って収納する受取容器２９を設けている。上記シート６は左右両側に送り方向に沿って平行な側縁部を備え中央部が吸水性を備えた不連続な単体のシートからなり、本体部がボックス状のケース１で構成されるとともに、排泄部Ｃが該ケース１の上面に設けられ、ストック部Ａと廃棄部Ｂがケース１内で２段に重ねて設けられている。【選択図】図２
2018093814.tif 000002
【特許請求の範囲】
【請求項１】
本体部にペットの糞尿を受取るシート（６）を伸展させてその上面で排泄を行わせる上面側の排泄部（Ｃ）と、未使用のシート（６）をストックするストック部（Ａ）と、使用済のシート（６）をストックする廃棄部（Ｂ）とを備え、ストック部（Ａ）から排泄部（Ｃ）に未使用のシート（６）を繰り出し供給し、排泄部（Ｃ）から廃棄部（Ｂ）へ使用済のシート（６）を送り出す送り装置を設けたペット用トイレ装置において、排泄部（Ｃ）と廃棄部（Ｂ）との間に、シート（６）上に排泄された糞を移動するシート（６）から受取って収納する受取容器（２９）を設けてなるペット用トイレ装置。
【請求項２】
シート（６）が左右両側に送り方向に沿って平行な側縁部（６ａ）を備え中央部が吸水性を備えた不連続な単体のシートからなり、本体部がボックス状のケース（１）で構成されるとともに、排泄部（Ｃ）が該ケース（１）の上面に設けられ、ストック部（Ａ）と廃棄部（Ｂ）がケース（１）内で２段に重ねて設けられた請求項１に記載のペット用トイレ装置。
【請求項３】
送り装置がケース（１）内の上部の前後端に軸支されて回転駆動されるプーリー，ロール又はドラムからなる巻掛部（８）にベルト（９）を巻掛け、該ベルト（９）によるシート（６）の左右両端の捕捉とベルト（９）の回転駆動により、ストック部（Ａ）のシート（６）を上面側の排泄部（Ｃ）に送り出し且つ排泄部（Ｃ）より廃棄部（Ｂ）に送り込む機構とした請求項１又は２に記載のペット用トイレ装置。
【請求項４】
ベルト（９）の外周側にベルト（９）の回転軌跡に沿って配置され、ベルト（９）の外周との間にシート（６）の左右両側を挟持してシート（６）を次工程に搬送する送りガイド（２３），（２４）を設置してなる請求項１，２又は３に記載のペット用トイレ装置。
【請求項５】
上記ベルト（９）の回転と連動して回転する始動回転部を備え、該始動回転部の外周がストック部（Ａ）のシート（６）の上面に押接されて該シート（６）の送り出しを始動させる始動送り装置（２１）をストック部（Ａ）に設けてなる請求項３又は４に記載のペット用トイレ装置。
【請求項６】
上記ベルト（９）の回転と連動して回転し、排泄部（Ｃ）より送り出された使用済のシート（６）を受け継いで廃棄部（Ｂ）に送り込む廃棄送り装置（２２）を、排泄部（Ｃ）のシート送りの終端部側に設けてなる請求項３，４又は５に記載のペット用トイレ装置。
【請求項７】
排泄部（Ｃ）と廃棄部（Ｂ）との間のシート送り経路中に、移動中のシート（６）上の糞をシート（６）の表面より除去して受取容器（２９）内に案内するスクレーパー（３２）を設けてなる請求項１〜６のいずれかに記載のペット用トイレ装置。
【請求項８】
ストック部（Ａ）と廃棄部（Ｂ）をケース（１）内に挿脱可能に設けた引出し（３），（４）により構成した請求項１〜７のいずれかに記載のペット用トイレ装置。
【発明の詳細な説明】
【技術分野】
【０００１】
この発明は犬，猫等のように予め決められた場所で糞尿の排泄を行うペット用トイレ装置に関し、特に飼主の外出時等のように一定期間ペットの飼育ができない場合に、受取容器による自動的な排泄物の受け取り及び回収が可能な装置に関する。
【背景技術】
【０００２】
従来ペットの排泄物を受けるトイレ装置のシート給紙や回収をセンサーやタイマー等を用いて自動制御する装置は特許文献１等によって公知である。
上記特許文献１の公知技術の発明は、それ以前の糞尿の受け取り用シートが供給（繰出し）側、巻取側共にロール紙である（例えば特開平１１−２８９９０号）であるのに対し、帯状に連続した帯状のシートを折畳み式にして、補給紙を接着接続できる構成にした点及びトイレ装置で排泄されたペットの糞を残さずに回収する点に特徴がある。
【先行技術文献】
【特許文献】
【０００３】
【特許文献１】特開２００７−３０号公報
【発明の概要】
【発明が解決しようとする課題】
【０００４】
しかし上記特許文献１の発明では、使用済シートはそのまま巻取りロールで巻取られるので、排便された糞もロール内に取込まれる。このため巻取りロールはシートの巻取り時に一層大径化し且つ糞を圧縮するための強力な巻取力（シートに掛る引力）が必要なほか、糞によるロール周面の凹凸で、ロール紙に不均一な張力が作用するので、帯状のシートは尿等によって水分を含んだ状態では巻取り時にシートが破断される欠点がある。また上記巻取り張力に耐えるように相当引張り強度の高い材質にすると、装置全体によるコスト高のほかシート自体も高コストを招く等の欠点がある。
【０００５】
また、ストック側のシートは折畳まれているものの給紙動作には給紙ローラ１２，１３を、また巻取側にも巻取りローラ１４をそれぞれ必要とするので、台座上面の排泄スペースの前後に各ローラの収納部を突設しているため、前後のスペースを大きく取る必要がある。
【０００６】
その他、上記糞の処理は巻取時に連続したロールシートである場合に限って有効であり、現在最も普及している不連続な単体シートを用いる場合には適用できない。
【課題を解決するための手段】
【０００７】
上記課題を解決するための本発明のトイレ装置は、第１に本体部にペットの糞尿を受取るシート６を伸展させてその上面で排泄を行わせる上面側の排泄部Ｃと、未使用のシート６をストックするストック部Ａと、使用済のシート６をストックする廃棄部Ｂとを備え、ストック部Ａから排泄部Ｃに未使用のシート６を繰り出し供給し、排泄部Ｃから廃棄部Ｂへ使用済のシート６を送り出す送り装置を設けたペット用トイレ装置において、排泄部Ｃと廃棄部Ｂとの間に、シート６上に排泄された糞を移動するシート６から受取って収納する受取容器２９を設けてなることを特徴としている。
【０００８】
第２に、シート６が左右両側に送り方向に沿って平行な側縁部６ａを備え中央部が吸水性を備えた不連続な単体のシートからなり、本体部がボックス状のケース１で構成されるとともに、排泄部Ｃが該ケース１の上面に設けられ、ストック部Ａと廃棄部Ｂがケース１内で２段に重ねて設けられたことを特徴としている。
【０００９】
第３に、送り装置がケース１内の上部の前後端に軸支されて回転駆動されるプーリー，ロール又はドラムからなる巻掛部８にベルト９を巻掛け、該ベルト９によるシート６の左右両端の捕捉とベルト９の回転駆動により、ストック部Ａのシート６を上面側の排泄部Ｃに送り出し且つ排泄部Ｃより廃棄部Ｂに送り込む機構としたことを特徴としている。
【００１０】
第４に、ベルト９の外周側にベルト９の回転軌跡に沿って配置され、ベルト９の外周との間にシート６の左右両側を挟持してシート６を次工程に搬送する送りガイド２３，２４を設置してなることを特徴としている。
【００１１】
第５に、上記ベルト９の回転と連動して回転する始動回転部を備え、該始動回転部の外周がストック部Ａのシート６の上面に押接されて該シート６の送り出しを始動させる始動送り装置２１をストック部Ａに設けてなることを特徴としている。
【００１２】
第６に、上記ベルト９の回転と連動して回転し、排泄部Ｃより送り出された使用済のシート６を受け継いで廃棄部Ｂに送り込む廃棄送り装置２２を、排泄部Ｃのシート送りの終端部側に設けてなることを特徴としている。
【００１３】
第７に、排泄部Ｃと廃棄部Ｂとの間のシート送り経路中に、移動中のシート６上の糞をシート６の表面より除去して受取容器２９内に案内するスクレーパー３２を設けてなることを特徴としている。
【００１４】
第８に、ストック部Ａと廃棄部Ｂをケース１内に挿脱可能に設けた引出し３，４により構成したことを特徴としている。
【発明の効果】
【００１５】
以上のように構成される本発明のペット用トイレ装置は、次のような効果を奏する。
（１）シートから糞を分離して別途収納するので、使用済シートも簡単に移送できストックも容易で少ないスペースで足りるほか、ロール状に巻取る方式のものに限定されず現在最も普及している長方形の単体シートを排泄の都度交換するタイプのものにも応用できる利点がある。糞の受取容器の前にスクレーパーを設けることによりシートからの糞の除去がさらに確実にできる。
【００１６】
（２）不連続で多数の単体のシートを用いることにより、送り装置も簡単で低出力のもので足りるほか、多数段重ねてストックできるので、装置本体となるボックス状のケースの上面や内部を排泄やストックのスペースとしてコンパクトにまとめた有効利用ができ、装置のスペースも少なくて済む。またストック量も多くでき、シート送り等の作動も軽負荷なので、センサーやモーター、制御装置等による自動化も容易であり、長期間家庭を留守にする場合でも、ペットの排泄管理が容易且つ確実に行える。
【００１７】
以上の他、本発明の作用効果は、発明の実施の形態に関する説明の中で詳細に説明する。
【図面の簡単な説明】
【００１８】
【図１】本発明のトイレ装置の全体の外観を示す斜視図である。
【図２】同じくトイレ装置のシート送り装置と糞の分離除去及びシートのストック構造を示すシート送り方向断面図である。
【図３】装置の内部構造を示す全体の平断面図である。
【図４】装置上面の排泄部の主要構成部品を示す斜視図である。
【発明を実施するための形態】
【００１９】
図１〜図４は本発明のトイレ装置の１実施形態を示し、装置本体部１は直方体形状で上部開放型のボックス状でプラスチック製のケースによって構成され、開放された上部には額縁状又は窓枠状に中央が切抜形成されたカバー２を着脱開閉可能に嵌合して備えている。
【００２０】
上記ケース１の背面（後面）側には上下２段に分けられてパレット状の引出し３，４が前後挿脱可能に設けられており、後述するように上段の引出し３は、未使用のシート６のストック部Ａを、下段の引出し４は使用済のシート６のストック部（廃棄部）Ｂをそれぞれ構成し、ケース１の上面のカバー２の切抜部内は、シート６が伸展されて露出するペットの排泄部（スペース）Ｃとなっている。７は上段の引出し３を支持して前後動を案内する引出しガイドである。
【００２１】
図２，図３に示すようにケース１内の上段側の送り方向前後両端には、同一径のプーリー（巻掛部）８が左右端にそれぞれ軸支されており、前後のプーリー８には、摩擦係数の高いゴム又はプラスチック製で弾力性を備えたベルト９が巻掛けられ、後端側（駆動側）のプーリー軸１０ａの中央には送り装置駆動用のモーター１１が接続されており、モーター１１はケース１の後壁内面に取付けられている。
【００２２】
前端側（従動側）のプーリー軸１０ｂの途中には後述するように排泄部Ｃで使用済となったシート６を廃棄部Ｂに送り出す際の補助送りとなる摩擦係数が高く弾力性のあるゴム又はプラスチック材よりなる複数の補助送りローラー１２が軸支されている。この補助送りローラー１２の外径はプーリー８に巻掛けられたベルト９の巻径と同一（周速度）である。
【００２３】
上記プーリー８はいずれも２本のベルトを巻掛けられる２輪式プーリーで、上記ベルト９は内側のベルト溝に巻掛けられている。駆動側プーリー８の外側にはアーム１３が上下揺動可能に軸支されており、その揺動端側にはプーリー８より小径の始動プーリー１４が回転自在に軸支され、上記駆動側プーリー８の外側のベルト溝との間に、摩擦係数の高い軟質のゴム又はプラスチックよりなる始動ベルト１６が巻掛けられて始動回転部を構成している。
【００２４】
この始動ベルト１６の外周はストック部Ａに積み重ねてストックされている未使用のシート６の上面に常に弾力的に押接されて回転し、該シート６を上から順次送り出し始動させるものである。上記シート６への弾力的な押接のためにアーム１３はスプリング（図示しない）により、常にシート６に向って下向きに付勢されていることが望ましい。上記始動プーリー１４と始動ベルト１６は、プーリー８の外側のベルト溝とともに始動送り装置２１を構成している。
【００２５】
またケース１の前端側（従動側）のプーリー８の外側にも補助アーム１７が下向きに軸支され、その下端にはプーリー８より小径の補助送りプーリー１８が回転自在に軸支されるとともに、この補助送りプーリー１８と従動側プーリー８には補助送りベルト１９が巻掛けられ、ベルト９によってケース１の前端内まで送られてきた使用済のシート６を廃棄部Ｂまで送り届ける廃棄送り装置２２を構成している。
【００２６】
上記駆動側のプーリー８に巻掛けられたベルト９，１６の後端側（背面側）半円形の外周面には、この半円形の外周に沿って円弧状に湾曲した送りガイド２３がケース１の内面に着脱可能に固定して取付けられている。先述の始動送り装置２１によって送り出された未使用のシート６の左右両端が、上記ベルト９，１６の外周と送りガイド２３の間に挟み込まれてベルト９，１６によってさらに上面の排泄部Ｃに伸展状態で送り出される。
【００２７】
他方、従動側のプーリー８に巻掛けられたベルト９，１９の前方側外周にも同様にベルト９，１９の外周形状に沿って形成された送りガイド２４が、ケース１の内面に着脱可能に取付けられている。この場合も排泄部Ｃから送られてきた使用済のシート６の両端を送りガイド２４とベルト９，１９との間に導入してベルト回転により廃棄部Ｂまで送り出し、順次積み重ねてストックする。
【００２８】
上記送りガイド２３，２４は、ベルト９，１６，１９の周面に弾力的に接触するか近接してベルト９，１６，１９との間に送り込まれたシート６を確実に次工程に捕捉して移送する必要がある。このためベルト９，１６，１９の回転を妨げず且つシート６をスムースに滑らせて送り出すようにその材質を選択することが望ましい。
【００２９】
また、ベルト９はケース１の上面の排泄部Ｃ上にシート６を伸展状態で送り出し且つ保持する必要があるので、左右のプーリー８，８間及びベルト９，９間には、多孔板、メッシュ又は格子状で（実施例では多孔板）、ペットの体重を十分に支え得る剛性と通風性を備えたテーブル板２６が、左右端に突設した取付部２６ａを介してケース内面に取付け固定されている。このテーブル板２６はシート６を支持し且つ排泄中のペット重量を支持する。２６ｂは前述した補助送りローラー１２の上部をテーブル板２６上面に臨ませるためのスリットである。テーブル板２６は通気性又は通風性を備えることにより、後述する臭いセンサー等をケース１内に設ける場合に有効である。
【００３０】
さらに、ケース上面の左右のベルト９はケース１側に軸支されたガイドプーリー２７によって下側から弾力的に転接されて支持されるほか、各ベルト９の上面には、カバー２の額縁状の内周縁２ａの下面が軽く接触し又は近接するように、シート６の送りガイドとして形成されており、この内周縁２ａの下面とベルト９との間にシート６の両端部が挟持された状態で送り方向（前方）に移送され且つ排泄部Ｃ上で伸展状態で保持される。
【００３１】
カバー２の前端側の辺は背面視でゲート状断面に開口して形成された屋根状のガイドカバー２ｂが一体形成されており、排泄部Ｃ上に排泄された糞２８はシート６とともにこのガイドカバー２ｂ内に導かれる。そしてこのガイドカバー２ｂの開放された後方には、上向きに開口してシート６上から落下する糞２８を受け取る受取容器２９が着脱自在に取付けられており、この受取容器２９の開口部には、糞２８が落下した時に弾力的に内向きに開いて糞を受け入れ、その後弾力的に復帰する開閉蓋３１が設けられている。図３に示す符合３０はケース１側の差込溝に受取容器２９の左右端の突出部を差込んで受取容器２９を着脱自在に取付ける取付部である。
【００３２】
また、シート６に強く付着した軟便等は、シート６が前端側で傾斜するだけでは落下しない可能性もあり得るので、図示する例ではケース１の前端側の周壁の上端を、転回するシート６に沿って近接させてスクレーパー３２として形成し、シート６がこの位置を通過する際に糞を分離して受取容器２９内に落下させて回収する構造にしている。このスクレーパー３２は別部品としてケース１の前壁側に取付けることも可能であるほか、シート６上の糞２８を支え且つこのスクレーパー３２の作用をより確実にするために、従動側の左右のプーリー８，８間に、移送中のシート６をベルト９の回転軌跡に沿って内側から支えてガイドする円筒面状のガイド（図示しない）を設けてもよい。
【００３３】
その他ケース１内のテーブル板２６の下面又は下側の空間には、排泄部Ｃでシート６上にペットによる排泄が行われた場合にその臭い又は水分、ガス等を感知するセンサー３３が適宜配置されており、このセンサー３３の感知によってモーター１１を一定時間又は一定回転量作動させ、排泄部Ｃ上の使用済のシート６を廃棄部Ｂに送り出すとともにストック部Ａの未使用のシート６を排泄部Ｃ上の定位置に伸展状態で送り込み、次の排泄に備える。これらの自動運転のためには各種センサーやタイマー等のほか、マイコン内臓の制御装置（図示しない）が必要となる。
【００３４】
上記装置において、本体部となるケース１，カバー２，受取容器２９，引出し３，４等はいずれもプラスチックによる成形が可能であり、その他の部品もモーター等を除き多くはプラスチック成形が可能である。またベルト９，１６，１９はいずれも円形断面又は楕円形断面のほか、四角断面でも可能であるが、シート送り時の捕捉機能としては円形又は楕円形断面が望ましい。
【００３５】
またシート６は、図４に示すように側縁部６ａが補強され、内側が吸水性，脱臭性，脱臭機能等を備えた例えば送り方向長さ３２ｃｍ，左右幅４４ｃｍ等の市販のシートがそのまま使用可能であり、装置の本体部としても上記シートを十分に収納し送り移送可能な寸法（例えば左右幅５０ｃｍ，前後幅４５ｃｍ，高さ７〜８ｃｍ）に納めることができる。上記のように側縁部６ａが一定幅補強されているので、送り装置のベルト９，１６，１９と送りガイド２３，２４，２ａに挟持されて移送されるのに十分な耐久性を備えている。
【００３６】
上記実施形態に使用する電源には、家庭用の１００ＶのＡＣ電源のほか、市販の乾電池又はバッテリー等の使用が可能である。
【００３７】
次に本発明装置の作動又は使用方法について説明すると、先ずストック部である引出し３に例えば留守期間中に必要な枚数のシート６を重ねて収容して装置のスイッチ（図示しない）をＯＮし、最初のシート６を排泄部Ｃに伸展状態で送り出してセットする。
【００３８】
以後はシート６上に犬等のペットが排泄をする度に廃棄部Ｂへの使用済のシート６の排出収納及び新たな未使用のシート６のストック部Ａから排泄部Ｃへの送り出しを繰り返す。この時排泄部Ｃでシート６上に糞２８が排泄された時は、廃棄部Ｂへの送り出し途中で糞２８は受取容器２９内に投入されて回収される。
【符号の説明】
【００３９】
１    本体部（ケース）
２    カバー
２ａ  送りガイド（内周縁）
３，４    引出し
６    シート
６ａ  側縁部
８    プーリー（巻掛部）
９    ベルト
１０ａ，１０ｂ    プーリー軸
１１    モーター
１４    始動プーリー
１６    始動ベルト
１８    補助プーリー
１９    補助送りベルト
２１    始動送り装置
２２    補助送り装置
２３，２４    送りガイド
２６    テーブル板
２８    糞
２９    受取容器
３２    スクレーパー
３３    センサー
Ａ    ストック部
Ｂ    廃棄部
Ｃ    排泄部
【図１】
2018093814.tif 000003
【図２】
2018093814.tif 000004
【図３】
2018093814.tif 000005
【図４】
2018093814.tif 000006